(57)【要約】【課題】スライド機構の薄型軽量化と強度確保の両方を実現する。【解決手段】第１の筐体３の中央に、スライド方向に延びて液晶側基板２ａを収容する凹部１１ａを有する板金プレート１１をインサート成形し、この板金プレート１１に、スライド方向に延びて凹部１１ａを背面側から挟み込む凸部１３ａ及び一対のレール１４を有するベースプレート１３を結合する。一対のレール１４にスライダ１５の一対の係合部１６を係合させる。ベースプレート１３の一対の凸部１３ａ間にフレキシブル基板１８を挿通する基板挿通孔を開口する。【選択図】図１
2014022891.tif 000002
【特許請求の範囲】
【請求項１】
第１の筐体と第２の筐体とがスライド機構によって互いにスライド可能に連結された携帯端末において、
上記第１の筐体に内蔵される表示部から延びる表示部側部品と、
上記第１の筐体の中央にインサート成形され、スライド方向に延びるように背面側へ凹陥されて上記表示部側部品を収容する凹部を有する板金プレートと、
上記表示部側部品と上記第２の筐体内部のメイン基板との間を電気的に接続するフレキシブル基板とを備え、
上記スライド機構は、
上記スライド方向に延びるように正面側へ膨出して上記凹部を両側から挟み込む一対の凸部及び該スライド方向に延びる一対のレールを有し、上記板金プレートに結合されるベースプレートと、
上記一対のレールに係合する一対の係合部を有し、上記第２の筐体に連結されるスライダとを備え、
上記ベースプレートの上記一対の凸部間に上記フレキシブル基板を挿通する基板挿通孔が開口されている
ことを特徴とする携帯端末。
【請求項２】
請求項１に記載の携帯端末において、
上記ベースプレートは、金属成形品よりなり、
上記板金プレートと、上記ベースプレートとは、少なくとも上記基板挿通孔の両側で上記凸部と凹部との嵌合部に沿って接着されている
ことを特徴とする携帯端末。
【請求項３】
請求項１又は２に記載の携帯端末において、
上記板金プレートは、アルミニウム合金の板金よりなり、
上記ベースプレートは、マグネシウム合金の成形品よりなる
ことを特徴とする携帯端末。
【発明の詳細な説明】
【技術分野】
【０００１】
本発明は、第１の筐体と第２の筐体とがスライド機構によって互いにスライド可能に連結された携帯端末に関し、特にスライド機構の改善に関する。
【背景技術】
【０００２】
従来より、この種の携帯端末は、例えば、特許文献１に示すように、第１の筐体の背面に一対のレールが設けられ、この一対のレールに第２の筐体の正面に設けたスライダの係合部が係合し、第１の筐体が第２の筐体に対してスライドするようになっている。一対のレールは、第１の筐体のステンレス鋼板よりなる板金プレートの左右に形成されている。第１の筐体に内蔵された表示ディスプレイから延びるフレキシブル基板は、板金プレートに切り欠かれたスリット状の開口から板金の裏側へ延び、側面視で断面Ｕ字状に折り曲げられて第２の筐体内のメイン基板に接続されるようになっている。
【先行技術文献】
【特許文献】
【０００３】
【特許文献１】特開２００８−１６０２６１号公報
【発明の概要】
【発明が解決しようとする課題】
【０００４】
しかしながら、近年携帯端末の薄型化及び軽量化が進み、板金をできるだけ薄く、軽くする必要が出てきた。
【０００５】
また、フレキシブル基板は、第１の筐体のスライド移動に伴って移動するので、その移動スペースを確保する必要があるが、そのスペースを確保するためにスライド機構の剛性部材を切り欠くと剛性が低下してしまうという問題があった。
【０００６】
本発明は、かかる点に鑑みてなされたものであり、その目的とするところは、スライド機構の薄型軽量化と強度確保の両方を実現することにある。
【課題を解決するための手段】
【０００７】
上記の目的を達成するために、この発明では、板金プレートとベースプレートとの二重構造において、ベースプレートにフレキシブル基板が通る貫通孔を設けた。
【０００８】
具体的には、第１の発明では、第１の筐体と第２の筐体とがスライド機構によって互いにスライド可能に連結された携帯端末を対象とする。
【０００９】
そして、上記携帯端末は、
上記第１の筐体に内蔵される表示部から延びる表示部側部品と、
上記第１の筐体の中央にインサート成形され、スライド方向に延びるように背面側へ凹陥されて上記表示部側部品を収容する凹部を有する板金プレートと、
上記表示部側部品と上記第２の筐体内部のメイン基板との間を電気的に接続するフレキシブル基板とを備え、
上記スライド機構は、
上記スライド方向に延びるように正面側へ膨出して上記凹部を両側から挟み込む一対の凸部及び該スライド方向に延びる一対のレールを有し、上記板金プレートに結合されるベースプレートと、
上記一対のレールに係合する一対の係合部を有し、上記第２の筐体に連結されるスライダとを備え、
上記ベースプレートの上記一対の凸部間に上記フレキシブル基板を挿通する基板挿通孔が開口されている。
【００１０】
上記の構成によると、ベースプレートに基板挿通孔を開口させてフレキシブル基板の移動スペースを確保できると共に、フレキシブル基板とベースプレートとの厚さ方向の重なりを防ぐことができるので、全体の厚さを減少させることができる。また、板金プレートにおける、表示部から延びる表示部側部品を収容する凹部を背面側からベースプレートの一対の凸部で挟み込むことで、スライド方向に垂直な方向への板金プレートとベースプレートとのずれを防止することができる。また、ビード形状の凸部及び凹部によって剛性を確保するので、基板挿通孔を設けてもスライド機構全体で剛性が低下しない。このため、肉厚の大きいステンレス鋼板を設ける必要がなく、軽量化が図られる。また、表示部側部品を収容する凹部を凸部との嵌合に利用しているので、余分な厚さが増えない。
【００１１】
第２の発明では、第１の発明において、
上記ベースプレートは、金属成形品よりなり、
上記板金プレートと、上記ベースプレートとは、少なくとも上記基板挿通孔の両側で上記凸部と凹部との嵌合部に沿って接着されている。
【００１２】
上記の構成によると、少なくとも基板挿通孔の両側で板金プレートとベースプレートとが接着されることにより、さらにスライド機構の剛性が向上する。
【００１３】
第３の発明では、第１又は第２の発明において、
上記板金プレートは、アルミニウム合金の板金よりなり、
上記ベースプレートは、マグネシウム合金の成形品よりなる。
【００１４】
上記の構成によると、板金プレートを軽量なアルミニウム合金で構成し、ベースプレートを同様に軽量なマグネシウム合金の成形品で構成することにより、ステンレス鋼板に比べて軽量化が図られると共に、複雑な形状のベースプレートでも成形可能である。
【発明の効果】
【００１５】
以上説明したように、本発明によれば、第１の筐体にインサート成形される板金プレートに表示部側部品を収容するスライド方向に延びる凹部を形成し、その凹部の背面側をスライド方向に延びるベースプレートの凸部で挟み込むと共に、フレキシブル基板をベースプレートの基板挿通孔に挿通させるようにしたことにより、スライド機構の薄型軽量化と強度確保の両方を実現することができる。
【図面の簡単な説明】
【００１６】
【図１】図６のＩ部拡大断面図である。
【図２】閉じた状態の携帯電話機を正面側から見た斜視図である。
【図３】閉じた状態の携帯電話機を背面側から見た斜視図である。
【図４】閉じた状態の携帯電話機を正面側から見た分解斜視図である。
【図５】閉じた状態の携帯電話機を背面側から見た分解斜視図である。
【図６】図３のVI−VI線拡大断面図である。
【図７】閉じ状態のスライダを含む第１の筐体を背面側から見た斜視図である。
【図８】板金プレートを正面側から見た斜視図である。
【図９】ベースプレートを正面側から見た斜視図である。
【図１０】開いた状態の携帯電話機を正面側から見た斜視図である。
【図１１】図１０のXI−XI線断面図である。
【図１２】図３のXII−XII線拡大断面図である。
【発明を実施するための形態】
【００１７】
以下、本発明の実施形態を図面に基づいて説明する。
【００１８】
図２〜図６及び図１０は本発明の実施形態の携帯端末としての携帯電話機１を示し、この携帯電話機１は、表示部２を内蔵する第１の筐体３と、操作部７（図１０のみ示す）を備える第２の筐体４とがスライド機構１０によって互いにスライド可能に連結され、図２及び図３に示す閉じ状態と、図１０に示す開き状態とに切換可能に構成されている。第２の筐体４は、正面側キャビネット４ａと背面側キャビネット４ｂとで構成されている。正面側キャビネット４ａと背面側キャビネット４ｂとの間にメイン基板８が内蔵されている。背面側キャビネット４ｂの背面がリアカバー５で覆われている。
【００１９】
表示部２は、例えばタッチパネルを含み、背面側から表示部側部品としての液晶側基板２ａが延びている。第１の筐体３は、アルミニウム合金よりなる板金プレート１１がインサート成形され、その板金プレート１１とその周縁の樹脂部分とで表示部２を収容する表示部収容部３ａが形成されている。図８にも示すように、板金プレート１１の左右中央には、スライド方向、すなわち上下方向に延びるように背面側へ凹陥した凹部１１ａが形成されている。この凹部１１ａに液晶側基板２ａが収容されている。凹部１１ａは、図１に示すように左右の側壁が直角に曲げられているのが望ましいが、プレス成形の影響で若干傾斜していてもよい。
【００２０】
そして、この板金プレート１１には、上下に延びる一対の両面テープ１２で、例えばマグネシウム合金の成型品よりなるベースプレート１３が接着されている。このように、板金プレート１１を軽量なアルミニウム合金で構成し、ベースプレート１３も同様に軽量なマグネシウム合金の成形品で構成することにより、ステンレス鋼板に比べて軽量化が図られている。両面テープ１２は、熱圧着可能なものであれば、施工が容易で接着力も強いので望ましい。両面テープ１２は、凹部１１ａの左右両側に貼り付けられている。板金プレート１１とベースプレート１３とは、上下左右４箇所でビス５０でも固定されているが、上下中間部分は、部品配置の関係上ビス５０では固定できない。
【００２１】
図９にも示すように、ベースプレート１３は、上下方向に延びるように正面側へ膨らみ、左右から凹部１１ａを挟み込むように嵌合する凸部１３ａを備えている。凸部１３ａの形状は、凹部１１ａの形状に対応している。例えば、左側の凸部１３ａは、直線状に延びる右側面を有するが、左側の凸部１３ａの一部は、傾斜する左側面を有する。但し、凸部１３ａ及び凹部１１ａの形状は、これに限定されない。そして、左右の凸部１３ａの外側には、上下に延びる一対のレール１４が左右に拡がる方向へ突設されている。図９及び図１２に示すように、ベースプレート１３の中央には、液晶側基板２ａと第２の筐体４内部のメイン基板との間を電気的に接続するフレキシブル基板１８を挿通する基板挿通孔２０が開口されている。本実施形態では、両面テープ１２は、凸部１３ａのほぼ全域にわたって上下に延びて貼り付けられているが、少なくとも基板挿通孔２０の両側で凸部１３ａと凹部１１ａとの嵌合部に沿って接着されていればよい。また、ベースプレート１３は、成形品であるので、厚さの異なる複雑な形状でも容易に成形可能である。
【００２２】
そして、図１に示すように、一対のレール１４には、スライダ１５の左右に設けた上下に延びる一対の係合部１６が係合している。スライダ１５は、ステンレス鋼板などよりなり、係合部１６は、正面側にコ字状に折り曲げられて形成されている。係合部１６の内面には、耐摩耗性の高い樹脂成形品等よりなる摺動部材１６ａが嵌め込まれ、この摺動部材１６ａにレール１４が摺接するようになっている。図４及び図５に示すように、スライダ１５は、正面側キャビネット４ａに４本のビス５０で固定されている。一対のレール１４の上端には、スライダ１５の動きを止めるストッパ１７が設けられている。なお、スライダ１５とベースプレート１３との間には、例えば両端がそれぞれ回転可能に結合されるようにＶ字状のバネ部材１９が設けられ、スライド操作を補助するようになっている。
【００２３】
このように構成することで、携帯電話機１は、第１の筐体３をスライド移動させて図２及び図３に示す閉じ状態と図１０に示す開き状態との間で切換操作される。第１の筐体３が移動するときには、図１１にも示すように、側面視で略Ｕ字状に折り曲げられた状態で、基板挿通孔２０及びその周辺内を移動する。このため、フレキシブル基板１８がスライド操作に伴って損傷するのが避けられる。そして、フレキシブル基板１８とベースプレート１３との厚さ方向の重なりを防ぐことができる。
【００２４】
また、板金プレート１１における、表示部から延びる液晶側基板２ａを収容する凹部１１ａの背面側左右側面をベースプレート１３の凸部１３ａの左右内側側面で挟み込むことで、左右方向への板金プレート１１とベースプレート１３とのずれを防止することができると共に、凸部１３ａ及び凹部１１ａにおける剛性が確保されるので、ベースプレート１３に大きな基板挿通孔２０を設けても、スライド機構１０の全体で剛性が低下しない。また、少なくとも基板挿通孔２０の両側で板金プレート１１とベースプレート１３とが両面テープ１２により接着されているので、さらに剛性が向上している。このため、肉厚の大きいステンレス鋼板を設ける必要がなく、軽量化が図られる。しかも、液晶側基板２ａを収容する凹部１１ａを利用しているので、携帯電話機１の厚さが増えない。
【００２５】
したがって、本実施形態にかかる携帯電話機１によると、スライド機構１０の薄型軽量化と強度確保の両方を実現することができる。
【００２６】
（その他の実施形態）
本発明は、上記実施形態について、以下のような構成としてもよい。
【００２７】
すなわち、上記実施形態では、板金プレート１１をアルミニウム合金で構成し、ベースプレート１３をマグネシウム合金の成型品で構成したが、これに限定されず、軽量かつ剛性の高い部材であれば、繊維強化プラスチックなど他の材料でもよい。
【００２８】
上記実施形態では、携帯端末は、スライド式の携帯電話機１としたが、スライド式のものであれば、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２９】
なお、以上の実施形態は、本質的に好ましい例示であって、本発明、その適用物や用途の範囲を制限することを意図するものではない。
【産業上の利用可能性】
【００３０】
以上説明したように、本発明は、第１の筐体と第２の筐体とがスライド機構によって互いにスライド可能に連結された携帯電話機などの携帯端末について有用である。
【符号の説明】
【００３１】
１      携帯電話機（携帯端末）
２      表示部
２ａ    液晶側基板（液晶側部品）
３      第１の筐体
３ａ    表示部収容部
４      第２の筐体
４ａ    正面側キャビネット
４ｂ    背面側キャビネット
５      リアカバー
７      操作部
８      メイン基板
１０      スライド機構
１１      板金プレート
１１ａ    凹部
１２      両面テープ
１３      ベースプレート
１３ａ    凸部
１４      レール
１５      スライダ
１６      係合部
１６ａ    摺動部材
１７      ストッパ
１８      フレキシブル基板
１９      バネ部材
２０      基板挿通孔
５０      ビス
【図１】
2014022891.tif 000003
【図２】
2014022891.tif 000004
【図３】
2014022891.tif 000005
【図４】
2014022891.tif 000006
【図５】
2014022891.tif 000007
【図６】
2014022891.tif 000008
【図７】
2014022891.tif 000009
【図８】
2014022891.tif 000010
【図９】
2014022891.tif 000011
【図１０】
2014022891.tif 000012
【図１１】
2014022891.tif 000013
【図１２】
2014022891.tif 000014